(57)【特許請求の範囲】
【請求項１】
本体部とベース部とが着脱可能な着脱機構であって、
前記本体部には、前記ベース部に設けられた係止部に係合する第１の係合部と、前記本体部が前記ベース部に装着された状態で前記ベース部のストッパーに係合する第２の係合部とが設けられ、
前記ベース部には、前記ストッパーのロック状態を解除するロック解除レバーが設けられ、
前記ロック解除レバーは、前記本体部が前記ベース部に装着された状態で前記ロック状態を解除するロック解除位置に移動されると当該ロック解除位置に保持され、前記本体部が前記ベース部から取り外されると、前記本体部を前記ベース部にロック可能なロック位置に移動し、
前記本体部が前記ベース部に装着された状態を検出する装着検知手段と、
前記本体部が前記ベース部に装着された状態で前記ロック解除レバーを前記ロック解除位置に保持するストップレバーと、をさらに有し、
前記装着検知手段は、前記ベース部から突出する検知部と、前記検知部が前記本体部に当接して回動する押圧レバー部と、を有し、
前記押圧レバー部は、前記検知部が前記本体部に当接していない状態では前記ストップレバーを押圧し、前記検知部が前記本体部に当接した状態では前記ストップレバーから離間することを特徴とする着脱機構。
【請求項２】
前記ストッパーは、前記本体部の第２の係合部に係合するストップ部と、前記ストップ部をロック位置に付勢する付勢手段と、前記ロック解除レバーに連動して前記ストップ部を前記ロック解除位置に移動させるストップ解除部と、を有し、
前記ストップ部は、前記ロック解除レバーが前記付勢手段に抗してロック解除位置に移動されると、前記ロック位置から前記ロック解除位置に変位することを特徴とする請求項１に記載の着脱機構。
【請求項３】
前記ロック解除レバーは、前記ロック位置と前記ロック解除位置の間でスライド可能なスライドレバー部と、前記スライドレバー部を前記ロック位置に付勢する付勢手段と、を有し、
前記スライドレバー部が前記付勢手段の付勢力に抗して前記ロック解除位置に移動されると、前記ストッパーのロック状態が解除されることを特徴とする請求項１または２に記載の着脱機構。
【請求項４】
前記ストップレバーは、回動可能に支持された回動レバー部と、前記ロック解除レバーをロック解除位置に保持する状態に前記回動レバー部を付勢する付勢手段と、を有することを特徴とする請求項３に記載の着脱機構。
【請求項５】
前記装着検知手段は、前記本体部が前記ベース部に装着されていない状態では、前記回動レバー部を前記ロック解除レバーを前記ロック解除位置に保持しない位置に変位させ、前記本体部が前記ベース部に装着された状態では、前記回動レバー部を前記ロック解除レバーを前記ロック解除位置に保持する位置に変位させることを特徴とする請求項４に記載の着脱機構。
【請求項６】
前記ストップレバーは、前記スライドレバー部と前記回動レバー部とが互いにテーパ状の傾斜面で当接することで、前記ロック解除レバーをロック解除位置に保持することを特徴とする請求項５に記載の着脱機構。
【請求項７】
前記押圧レバー部には、前記ベース部から浸入した液体を排出する排出口が設けられ、
前記ベース部には、前記排出口から滴下する液体を外部に排出する廃液部が設けられていることを特徴とする請求項６に記載の着脱機構。
【請求項８】
前記ベース部は、前記本体部の前記第１の係合部を前記ベース部の前記係止部に案内する装着方向に延びるガイド部と、
前記本体部の前記第１の係合部を前記ガイド部に誘導する傾斜面と、を有し、
前記ベース部の前記係止部は、前記ガイド部のそれぞれの端部近傍に設けられていることを特徴とする請求項１ないし７のいずれか１項に記載の着脱機構。
【請求項９】
前記本体部と前記ベース部とを電気的に接続するコネクタをさらに有し、
前記本体部の前記第１の係合部が前記ベース部の前記係止部に係合され、前記第２の係合部が前記ストッパーにロックされた状態で、前記本体部のコネクタと前記ベース部のコネクタが電気的に接続されるように位置決めされることを特徴とする請求項１ないし８のいずれか１項に記載の着脱機構。
【請求項１０】
前記本体部は、人体の生体情報を測定し表示するモニタ装置であり、前記ベース部は電源ユニットであることを特徴とする請求項１ないし９のいずれか１項に記載の着脱機構。
【請求項１１】
前記モニタ装置は、前記電源ユニットが取り外された状態でも動作するためのバッテリと、前記モニタ装置を把持するハンドル部と、を有することを特徴とする請求項１０に記載の着脱機構。
【請求項１２】
前記ロック解除レバーは、前記ロック位置から前記ロック解除位置に移動したことが外部から見て識別可能となっていることを特徴とする請求項１ないし１１のいずれか１項に記載の着脱機構。
【発明の詳細な説明】
【技術分野】
【０００１】
本発明は、機器同士を着脱可能に連結する着脱機構に関する。
【背景技術】
【０００２】
従来、医療分野においては、患者の心拍や血圧などを測定し表示する生体情報モニタなどのように測定ユニットと電源ユニットが着脱可能に構成され、測定ユニットのみを持ち運びできるようになっている。特許文献１には、表示ユニットと本体ユニットを片手で着脱可能とした機構が記載されている。
【先行技術文献】
【特許文献】
【０００３】
【特許文献１】特開２０１５−４６０２９号公報
【発明の概要】
【発明が解決しようとする課題】
【０００４】
しかしながら、ユニットが生体情報モニタなどのように、患者を乗せたままベッドを移動するときなど、一旦取り外したユニットを別の場所で別のユニットに取り付けるような使い方がなされる場合、ユーザは、ロック状態を解除するための操作や再度ロック状態とする操作を行いながら、ユニットの着脱作業を迅速かつ確実に行う必要があり、不慣れなユーザにとっては困難な作業となる。
【０００５】
本発明は、上述した課題に鑑みなされ、その目的は、ユーザが簡単かつ確実に機器の着脱を行うことができる着脱機構を実現することである。
【課題を解決するための手段】
【０００６】
上記課題を解決し、目的を達成するために、本発明の着脱機構は、本体部とベース部とが着脱可能な着脱機構であって、前記本体部には、前記ベース部に設けられた係止部に係合する第１の係合部と、前記本体部が前記ベース部に装着された状態で前記ベース部のストッパーに係合する第２の係合部とが設けられ、前記ベース部には、前記ストッパーのロック状態を解除するロック解除レバーが設けられ、前記ロック解除レバーは、前記本体部が前記ベース部に装着された状態で前記ロック状態を解除するロック解除位置に移動されると当該ロック解除位置に保持され、前記本体部が前記ベース部から取り外されると、前記本体部を前記ベース部にロック可能なロック位置に移動し、前記本体部が前記ベース部に装着された状態を検出する装着検知手段と、前記本体部が前記ベース部に装着された状態で前記ロック解除レバーを前記ロック解除位置に保持するストップレバーと、をさらに有し、前記装着検知手段は、前記ベース部から突出する検知部と、前記検知部が前記本体部に当接して回動する押圧レバー部と、を有し、前記押圧レバー部は、前記検知部が前記本体部に当接していない状態では前記ストップレバーを押圧し、前記検知部が前記本体部に当接した状態では前記ストップレバーから離間する。
【発明の効果】
【０００７】
本発明によれば、ユーザが簡単かつ確実に機器の着脱が行えるようになり、従来より作業が容易となる。
【図面の簡単な説明】
【０００８】
【図１】本発明に係る実施形態の生体情報モニタの外観斜視図である。
【図２】本発明に係る実施形態の生体情報モニタの本体部とベース部の外観斜視図である。
【図３】本発明に係る実施形態のベース部の内部構造を示す斜視図である。
【図４】本発明に係る実施形態のベース部の下側の筐体内部の着脱機構の分解斜視図である。
【図５】本発明に係る実施形態のベース部の上側の筐体内部の着脱機構の分解斜視図である。
【図６】本実施形態の生体情報モニタにおける本体部とベース部を着脱する際の着脱機構の動作説明図である。
【発明を実施するための形態】
【０００９】
以下に、本発明の実施の形態について、添付図面を参照して詳細に説明する。
尚、以下に説明する実施の形態は、本発明の実現手段としての一例であり、本発明は、その趣旨を逸脱しない範囲で本実施形態を修正又は変形したものに適用可能である。
【００１０】
図１は本発明に係る実施形態の生体情報モニタの外観斜視図である。図２は本発明に係る実施形態の生体情報モニタの本体部とベース部の外観斜視図である。
【００１１】
図１および図２に示すように、本実施形態の生体情報モニタ１は、病室や手術室で患者の心拍や血圧などの生体情報を測定し表示する、所謂ベッドサイドモニタ（以下、モニタ装置と略称する）である。モニタ装置１は、表示部１１や外部入力端子群１２、操作スイッチ群１３を有する本体部２と、本体部２と機械的および電気的に接続可能なベース部３とを備える。本体部２の筐体内部には、制御モジュールや測定モジュールなどの複数の回路基板やバッテリが収納されている。表示部１１はタッチパネル式の液晶表示パネルなどである。外部入力端子群１２は、カフなどの測定部を接続するための各種コネクタを含む。
【００１２】
本実施形態では、本体部２は、患者の心拍や血圧を測定する測定モジュールを含む測定表示ユニットである。また、本体部２は、メモリカードなどの記録媒体を接続するためのメモリカードスロットなどを含む。また、ベース部３は、本体部２に電力を供給する電源ユニットであり、外部機器などを接続するための各種コネクタなどを含む。
【００１３】
本体部２とベース部３は、後述する着脱機構により取り付けおよび取り外しが可能である。本体部２とベース部３にはそれぞれ、互いに装着された状態で電気的に接続される接続部１４、１５が設けられている。なお、本体部２のバッテリは、ベース部３から取り外された状態でも本体部２が単体で動作可能なように搭載されている。また、本体部２の上面部には、本体部２単体やベース部３に装着された本体部２を把持するハンドル部１７が設けられている。また、本体部２の上面部には、患者の心拍や血圧などの生体情報や機器の動作状態を報知するためのインジケータ１６が外部に露出して設けられている。なお、インジケータ１６の発光時にはアラーム音も同時に発出される。インジケータ１６は、光の色や音質、音量、点灯、点滅、点滅間隔などを変えることで患者の容体や機器の動作状態を報知する。
【００１４】
＜着脱機構＞以下、本体部２とベース部３とを着脱するための着脱機構について説明する。
【００１５】
図３は本発明に係る実施形態のベース部の筐体内部の着脱機構を示す斜視図である。図４は本発明に係る実施形態のベース部の下側の筐体内部の着脱機構の分解斜視図である。図５は本発明に係る実施形態のベース部の上側の筐体内部の着脱機構の分解斜視図である。
【００１６】
本体部２の下面部には、ベース部３に設けられた複数（本例では４箇所）の係止部３１に係合する第１の係合部としての断面コの字状の脚部２１と、本体部２がベース部３に装着された状態でベース部３から脱落しないようにロックするベース部３のストッパー６０に係合する第２の係合部としての突起部２２とが設けられている。
【００１７】
また、ベース部３の上面部には、本体部２の脚部２１をベース部３の係止部３１に案内する一方向にレール上に延びる一対のガイド部３２が設けられている。また、ベース部３には、ガイド部３２の側方に、本体部の脚部２１をガイド部３２に導く傾斜面３３が形成されている。傾斜面３３があることで、本体部２の脚部２１を傾斜面３３のどの部位からでもガイド部３２に導くことができる。
【００１８】
ベース部３の係止部３１は、ガイド部３２のそれぞれの端部近傍に設けられている。そして、本体部２の脚部２１がベース部３の係止部３１に係合し、本体部２の突起部２２がベース部３のストッパー６０にロックされた状態で、本体部２のコネクタ１４とベース部３のコネクタ１５とが電気的に接続された状態となるように本体部２とベース部３が位置決めされる。なお、ベース部３のコネクタ１５は、本体部２のコネクタ１４との位置ずれを吸収できるように上下方向および左右方向にわずかに変位可能にベース部３に取り付けられている。
【００１９】
なお、係止部３１やガイド部３２、ストッパー６０や装着検知レバー８０が突出する孔が設けられた板状部材とベース部３とを別部材として組立可能に設けても良い。
【００２０】
ベース部３には、ストッパー６０のロック状態を解除するロック解除レバー５０が設けられている。ロック解除レバー５０は、本体部２が装着された状態でロックを解除する位置に移動されるとロック解除位置に保持されると共に、本体部２が取り外された状態では常にロック位置にある。また、ロック解除レバー５０は、ロック位置からロック解除位置に移動したときに、本体部２が取り外し可能状態であることが外部から視認できるように、ロック解除レバー５０がロック位置にあるときに現れる色とロック解除位置にあるときに現れる色とが異なっている。なお、本体部２が装着されたことを後述する装着検知レバー８０や他のセンサなどを用いて検知し、その旨を表示部１１に表示するようにしても良い。
【００２１】
また、ベース部３には、ロック解除レバー５０の他に、本体部２をロック状態に保持するストッパー６０、ロック解除レバー５０をロック解除位置に保持するストップレバー７０、本体部２が装着されたことを検知する装着検知レバー８０が設けられている。これらのうち、ロック解除レバー５０、ストッパー６０およびストップレバー７０は、この順番でベース部３の下側の筐体３Ａ内部に取り付けられる。また、装着検知レバー８０は、ベース部３の上側の筐体３Ｂ内部に取り付けられる。
【００２２】
ロック解除レバー５０は、ユーザがロック位置とロック解除位置の間でスライド可能なスライドレバー部５１と、スライドレバー部５１からベース部３の筐体内部に延び、テーパ部５２ａを有するアーム部５２と、スライドレバー部５１をロック位置に向けて常時付勢（押圧）するバネ５３と、アーム部５２をベース部３の筐体内部に挿通し、バネ５３の一端部が係止されるブラケット５４とを有し、ブラケット５４がビス２５などでベース部３の下側の筐体内部に取り付けられる。スライドレバー部５１は、ロック位置側の一端部に第１テーパ部５１ａ１および第２テーパ部５１ａ２を有し、スライドレバー部５１に設けられた突起部５１ｂがバネ５３の他端部に係止されることで、ロック位置に向けてバネ５３により押圧される。
【００２３】
ストッパー６０は、テーパ部６１ａを有するストップ部６１と、ストップ部６１をベース部３から突出したロック位置に常時押圧するバネ６２と、ストップ部６１とバネ６２を保持すると共に、ロック解除レバー５０に連動してストップ部６１をロック解除位置に押し下げるストップ解除部６３と、ストップ部６１とバネ６２とストップ解除部６３を保持する保持部６４をビス２５などでベース部３の下側の内部に取り付けるブラケット６５とを有する。ストップ部６１は、ストップ解除部６３に設けられたテーパ部６３ａがロック解除レバー５０のアーム部５２のテーパ部５２ａに当接し、ストップ解除部６３がロック解除位置に向けて移動することでバネ６２に抗してストップ部６１をロック位置からロック位置より下降したロック解除位置に変位させる。
【００２４】
ストップレバー７０は、回動レバー部７１と、回動レバー部７１をストップ位置（ロック解除レバー５０をロック解除位置に保持可能な位置）に常時押圧するバネ７２と、回動レバー部７１の一端部を回動可能に支持すると共に、ベース部３の下側の筐体３Ａ内部にビス２５などで取り付けるブラケット７３とを有する。回動レバー部７１は、ロック解除位置側の他端部に第１テーパ部７１ａ１および第２テーパ部７１ａ２を有し、ロック解除レバー５０のスライドレバー部５１の第２テーパ部５１ａ２がバネ７２に抗してストップレバー７０の回動レバー部７１の第２テーパ部７１ａ２を乗り越えることで、ロック解除レバー５０は本体部２の取り外しが完了するまでロック解除位置に止まったまま保持される。
【００２５】
装着検知レバー８０は、押圧レバー部８１と、押圧レバー部８１をストップ解除位置に常時押圧するバネ８２と、押圧レバー部８１を回動可能に支持すると共に、ベース部３の上側の筐体３Ｂ内部にビス２５などで取り付けるブラケット８３とを有する。また、押圧レバー部８１には、ベース部３に露出する検知部８１ａが設けられ、本体部２の脚部２１に当接し、押し下げられることで本体部２が装着されたことを検知する。また、押圧レバー部８１のロック解除位置側の他端部には、バネ８２に押圧されてストップレバー７０の当て部７１ｂを押圧する押圧部８１ｂが設けられ、検知部８１ａが本体部２の脚部２１に当接して押し下げられると、押圧レバー部８１がバネ８２に抗して揺動し押圧部８１ｂがストップレバー７０の当て部７１ｂから離間することで、ストップレバー７０がストップ位置に変位する。なお、装着検知レバー８０の押圧レバー部８１は、ベース部３から浸入した薬液などの液体を排出する排出口８１ｃが設けられており、ベース部３から露出する検知部８１ａの孔から浸入した液体を排出口８１ｃまで導くような流路となるように下方に傾斜する断面Ｕ字状に形成されている。なお、ベース部３の下側の筐体３Ａ内部には排出口８１ｃから滴下する液体を外部に排出する筒状の廃液部３４が形成されている。
【００２６】
なお、本実施形態では、バネを付勢手段として用いているが、バネに限らず、弾性を有する部材であれば良い。
【００２７】
＜着脱機構の動作＞次に、本体部２とベース部３を着脱する際の着脱機構の動作について説明する。
【００２８】
図６は本実施形態の生体情報モニタにおける本体部とベース部を着脱する際の着脱機構の動作説明図であり、着脱機構付近をベース部の内部から見た側面図である。
（１−１）本体部２をベース部３に装着していない図６（ａ）の状態（ロック解除レバー５０の未操作時）
・装着検知レバー８０は、検知部８１ａがベース部３から突出した未検出状態である。
【００２９】
・ストップレバー７０は、装着検知レバー８０の押圧部８１ｂにより図中下向きに押されて（バネ８２の押圧力＞バネ７２の押圧力）、ロック解除レバー５０がロック解除位置に保持されないストップ解除位置を保持している。これにより、ロック解除レバー５０はロック位置とロック解除位置との間でスライド自在な状態となっている。
【００３０】
・ロック解除レバー５０は、バネ５３によりロック位置に押圧された状態となる。
【００３１】
・ストッパー６０は、ストップ部６１がベース部３から突出したロック位置にある。
（１−２）本体部２をベース部３に装着していない図６（ａ）の状態（ロック解除レバー５０の操作時）
・装着検知レバー８０は、検知部８１ａがベース部３から突出した未検出状態である。
【００３２】
・ストップレバー７０は、装着検知レバー８０の押圧部８１ｂにより図中下向きに押されて（バネ８２の押圧力＞バネ７２の押圧力）、ロック解除レバー５０をロック解除位置に保持しないストップ解除位置を保持している。これにより、ロック解除レバー５０はロック位置とロック解除位置との間でスライド自在な状態となっている。
【００３３】
・ロック解除レバー５０は、バネ５３よりロック位置に押圧された状態で、操作に追従してロック位置とロック解除位置の間でスライド自在な状態となる。
【００３４】
・ストッパー６０は、ロック解除レバー５０の移動に追従して、ストップ部６１がベース部３から突出したロック位置とロック位置より下降したロック解除位置の間で変位する。ストップ部６１は、ロック解除レバー５０の移動によって上下に変位するが、ロック解除レバー５０がロック位置にあるときはバネ６２により上昇する。
（２−１）本体部２をベース部３に装着する図６（ｂ）の状態（本体部２をガイド部３２に沿って装着方向にスライド開始時）
・装着検知レバー８０の検知部８１ａが検出状態に変位（下降）し始める。装着検知レバー８０は、本体部２の脚部２１に押し下げられて検出状態に変位し始め、装着検知レバー８０の押圧部８１ｂが上昇し始める。
【００３５】
・ストップレバー７０は、ストップ解除位置からストップ位置に変位（回動）し始める。装着検知レバー８０の押圧部８１ｂが上昇し始めることにより、ストップレバー７０はバネ７２により上方に押され、回動レバー部７１の第２テーパ部７１ａ２とロック解除レバー５０のスライドレバー部５１の第２テーパ部５１ａ２とが互いに向かい合った状態となる。
【００３６】
・ロック解除レバー５０は、バネ５３によりロック位置に押圧された状態である。
【００３７】
・ストッパー６０は、ストップ部６１が本体部２の突起部２２によりバネ６２に抗して下方に押され始める。
（２−２）本体部２をベース部３に装着する図６（ｃ）の状態（本体部２の装着完了時）
・装着検知レバー８０は、検出状態を保持する。すなわち、装着検知レバー８０は、検知部８１ａが本体部２の脚部２１に完全に押し下げられた状態となる。装着検知レバー８０の押圧部８１ｂは完全に上昇した状態で停止する。
【００３８】
・ストップレバー７０は、ストップ位置となる。すなわち、装着検知レバー８０の押圧部８１ｂが完全に上昇して当て部７１ｂから離間したことにより、回動レバー部７１がバネ７２により上方に押され、第２テーパ部７１ａ２とロック解除レバー５０のスライドレバー部５１の第２テーパ部５１ａ２とが互いに向かい合った状態を保持する。
【００３９】
・ロック解除レバー５０は、バネ５３よりロック位置に押圧された状態である。また、スライドレバー部５１の第２テーパ部５１ａ２がストップレバー７０の第２テーパ部７１ａ２と互いに向かい合った状態でロック位置に保持される。
【００４０】
・ストッパー６０は、ストップ部６１が本体部２の突起部２２により一旦押し下げられた後、バネ６２によりロック位置に戻る。これにより、本体部２の突起部２２とベース部３のストップ部６１が係合したロック状態となる。
（３−１）ロックを解除し、本体部２を取り外す図６（ｄ）の状態（ロック解除レバー５０の操作開始時）
・装着検知レバー８０は、検出状態を保持している。
【００４１】
・ストップレバー７０は、ロック解除レバー５０がロック解除位置に移動すると、第２テーパ部７１ａ２がロック解除レバーのスライドレバー部５１の第２テーパ部５１ａ２に接触し、回動レバー部７１の第２テーパ部７１ａ２がバネ７２に抗して下方に押され始める。
【００４２】
・ロック解除レバー５０は、ロック解除位置に移動し始めると、スライドレバー部５１の第２テーパ部５１ａ２がストップレバー７０の第２テーパ部７１ａ２を下方に押し始める。
【００４３】
・ストッパー６０は、ロック解除レバー５０の移動に追従して、ストップ部６１がロック解除位置に変位（下降）し始める。
（３−２）ロックを解除し、本体部２を取り外す図６（ｄ）の状態（ロック解除レバー５０の操作完了時）
・装着検知レバー８０は、検出状態を保持している。
【００４４】
・ストップレバー７０は、ストップ位置を保持している。すなわち、回動レバー部７１の第２テーパ部７１ａ２がロック解除レバー５０のスライドレバー部５１の第２テーパ部５１ａ２を乗り越え、かつ、装着検知レバー８０の押圧部８１ｂがストップレバー７０の当て部７１ｂから離間していることにより、ストップレバー７０はバネ７２により上方に押され、回動レバー７１の第１テーパ部７１ａ１とロック解除レバー５０のスライドレバー部５１の第１テーパ部５１ａ１とが当接し、回動レバー部７１を上方に押圧するバネ７２の押圧力とスライドレバー部５１のロック位置側に押圧するバネ５３のバランスによりロック解除レバー５０がロック位置に移動するのを抑止するストップ位置を保持する。なお、回動レバー７１の第２テーパ部７１ａ２とロック解除レバー５０のスライドレバー部５１の第２テーパ部５１ａ２の傾斜角度は、回動レバー７１の第１テーパ部７１ａ１とロック解除レバー５０のスライドレバー部５１の第１テーパ部５１ａ１の傾斜角度より緩やかに形成されている。これにより、ロック解除レバー５０をロック解除位置に移動し易くなる。また、回動レバー７１の第１テーパ部７１ａ１とロック解除レバー５０のスライドレバー部５１の第１テーパ部５１ａ１とを互いにテーパ状の傾斜面で当接させているのは、ユーザが手動でロック解除レバー５０をロック解除位置からロック位置に強制的に戻したいときに操作し易くするためである。
【００４５】
・ロック解除レバー５０は、ロック解除位置に保持される。すなわち、スライドレバー部５１の第２テーパ部５１ａ２がストップレバー７０の第２テーパ部７１ａ２を乗り越え、スライドレバー部５１の第１テーパ部５１ａ１がストップレバー７０の回動レバー７１の第１テーパ部７１ａ１に当接し、回動レバー部７１を上方に押圧するバネ７２の押圧力とスライドレバー部５１のロック位置側に押圧するバネ５３のバランスによりロック解除位置に保持される。
【００４６】
・ストッパー６０は、ロック解除レバー５０のアーム部５２のテーパ部５２ａがストップ解除部６３のテーパ部６３ａをバネ６２に抗して押し下げることでロック解除位置に保持される。
（３−３）ロックを解除し、本体部２を取り外す状態（本体部２をロック解除方向にスライド開始時）
・装着検知レバー８０は、未検出状態に変位し始める。すなわち、本体部２の脚部２１が検知部８１ａから離れ始め、押圧レバー部８１の検知部８１ａがバネ８２により上昇し始める。押圧レバー部８１の押圧部８１ａはバネ８２により下降し始め、ストップレバー７０の回動レバー部７１の当て部７１ｂに接触し始める。
【００４７】
・ストップレバー７０は、ストップ位置を保持している。すなわち、装着検知レバー８０の押圧部８１ｂがストップレバー部７１の当て部７１ｂから離間していることにより、ストップレバー７０は、回動レバー部７１の第１テーパ部７１ａ１がロック解除レバー５０のスライドレバー部５１の第１テーパ部５１ａ１に当接するストップ位置を保持する。
【００４８】
・ロック解除レバー５０は、ロック解除位置に保持される。すなわち、スライドレバー部５１の第１テーパ部５１ａ１がストップレバー７０の回動レバー部７１の第１テーパ部７１ａ１に当接し、スライドレバー部５１の第１テーパ部５１ａ１を押圧するバネ５３とストップレバー７０の第１テーパ部７１ａ１を押圧するバネ７２のバランスによりロック解除位置に保持される。
【００４９】
・ストッパー６０は、ロック解除レバー５０のアーム部５２のテーパ部５２ａがストップ解除部６３のテーパ部６３ａをバネ６２に抗して押し下げることでロック解除位置に保持される。
（３−４）ロックを解除し、本体部２を取り外す状態（本体部２をロック解除方向にスライド中）
・装着検知レバー８０は、押圧レバー部８１の押圧部８１ｂがストップレバー７０の回動レバー部７１の当て部７１ｂを下方に押す。
【００５０】
・ストップレバー７０は、装着検知レバー８０の押圧部８１ｂにより下方に押され、回動レバー部７１の第１テーパ部７１ａ１とロック解除レバー５０のスライドレバー部５１の第１テーパ部５１ａ１との接触面積が減少し始める。
【００５１】
・ロック解除レバー５０は、ロック解除位置にあり、スライドレバー部５１の第１テーパ部５１ａ１はストップレバー７０の回動レバー部７１の第１テーパ部７１ａ１との接触面積が減少し始める。
【００５２】
・ストッパー６０は、ロック解除レバー５０のアーム部５２のテーパ部５２ａがストップ解除部６３のテーパ部６３ａをバネ６２に抗して押し下げることでロック解除位置に保持される。
（３−５）ロックを解除し、本体部２を取り外す状態（本体部２をロック解除方向にスライド完了直前）
・装着検知レバー８０は、押圧レバー部８１の押圧部８１ｂがストップレバー７０の回動レバー部７１の当て部７１ｂをさらに下方に押し下げる。
【００５３】
・ストップレバー７０は、回動レバー部７１の第１テーパ部７１ａ１がロック解除レバー５０のスライドレバー部５１の第１テーパ部５１ａ１より下方に変位する。
【００５４】
・ロック解除レバー５０は、スライドレバー部５１の第１テーパ部５１ａ１がストップレバー７０の回動レバー部７１の第１テーパ部７１ａ１と接触しなくなり、バネ５３によりロック解除位置からロック位置に移動する。
【００５５】
・ストッパー６０は、ロック解除レバー５０の変位に追従して、ストップ部６１がロック解除位置からロック位置に変位（上昇）する。
（４）本体部２の取り外しが完了すると、（１−１）本体部２をベース部３に装着していない状態（ロック解除レバー５０の未操作時）に戻る。
【００５６】
以上のように、本実施形態によれば、ユーザは、本体部２をベース部３から取り外す場合は、ロック解除レバー５０をロック解除位置に操作すればよく、また、本体部２をベース部３に装着する場合は、ロック解除レバー５０を操作することなく、本体部２をベース部３に載せてガイド部３２に沿ってスライドさせるだけで簡単かつ確実にロック状態にすることができる。これにより、患者を乗せたままベッドを移動するときなど、ベース部３から一旦取り外した本体部２を別の場所で別のユニットに取り付けるような使い方がなされる場合において、ユーザは、ロック状態を解除するための操作や再度ロック状態とする操作を行いながら、本体部２とベース部３の着脱作業を迅速かつ確実に行えるようになる。
【００５７】
なお、本発明の着脱機構は、上述した実施形態の生体情報モニタなどの医療機器に限らず、本体部とベース部が分離可能に構成された他の様々な装置に適用可能である。
【符号の説明】
【００５８】
１…生体情報モニタ装置、２…本体部、３…ベース部、１４、１５…コネクタ、２１…脚部（第１の係合部）、２２…突起部（第２の係合部）、３１…係止部、５０…ロック解除レバー、６０…ストッパー、７０…ストップレバー、８０…装着検知レバー
【図１】
0006530301.tif 000002
【図２】
0006530301.tif 000003
【図３】
0006530301.tif 000004
【図４】
0006530301.tif 000005
【図５】
0006530301.tif 000006
【図６】
0006530301.tif 000007